(57)【要約】【課題】第１の歯付きホイール・セットの角度位置がサポートに対して調節されることを可能にする機構を提供すること。【解決手段】本発明は、サポート（２）に対する第１の歯付きホイール・セット（４）の角度位置を調節するためのシステムであって、第１の歯付きホイール・セット（４）は、それが枢動することができるように、サポート（２）上に装着されており、調節システムは、調節部材（８）を含み、調節部材（８）は、第１の歯付きホイール・セット（４）の角度位置に対して作用が加えられることを可能にし、サポート（２）に対する第１の歯付きホイール・セット（４）の角度位置を調節するようになっている、システムに関する。さらに本発明は、そのような調節システムを含む時計に関する。【選択図】図１
2020095032.tif 000002
【特許請求の範囲】
【請求項１】
サポート（２）に対する第１の歯付きホイール・セット（４）の角度位置を調節するためのシステムであって、前記第１の歯付きホイール・セット（４）は、それが枢動することができるように、前記サポート（２）上に装着されており、前記調節システムは、調節部材（８）を含み、前記調節部材（８）は、前記第１の歯付きホイール・セット（４）の角度位置に対して作用が加えられることを可能にし、前記サポート（２）に対する前記第１の歯付きホイール・セット（４）の前記角度位置を調節するようになっている、システム。
【請求項２】
前記第１の歯付きホイール・セット（４）は、ピニオンであり、前記サポート（２）は、ホイール（６０）であり、前記ピニオンが、前記ホイール（６０）上に摩擦により装着されており、ホイール・セットを形成するようになっていることを特徴とする、請求項１に記載の調節システム。
【請求項３】
前記調節部材（８）は、歯付きのセクタ（１０）を有するホイール・セットであり、前記歯付きのセクタ（１０）の角度位置は、調節可能になっており、前記歯付きのセクタ（１０）は、前記第１の歯付きホイール・セット（４）と係合されており、前記第１の歯付きホイール・セット（４）の前記角度位置が調節されることになっていることを特徴とする、請求項１または２に記載の調節システム。
【請求項４】
請求項１から３のいずれか一項に記載の調節システムを含む時計。
【請求項５】
時計（１４）の時計学的ムーブメントによるキネマティック・チェーンを介して駆動される大型の日付カレンダ表示機構であって、前記時計（１４）は、この大型の日付カレンダ表示機構（１２）を装備しており、この大型の日付カレンダ表示機構（１２）は、第１の日付インジケータ（６２）および第２の日付インジケータ（６６）を含み、「０」から「９」の日付の１の位コンポーネントの表示が、前記第１の日付インジケータ（６２）上に設置されており、「０」から「３」の前記日付の１０の位コンポーネントの表示が、前記第２の日付インジケータ（６６）上に設置されており、それによって、「０１」から「３１」の日付表示のすべてが、前記第１の日付インジケータ（６２）によって担持されている、前記日付の前記１の位コンポーネント「０」から「９」の前記表示と、前記第２の日付インジケータ（６６）によって担持されている、前記日付の前記１０の位コンポーネント「０」から「３」の前記表示とを組み合わせることによって取得され得、前記第１の日付インジケータ（６２）は、３１日を有するある月の最後の日からそれに続く月の最初の日への通過を分離する２４時間の期間の間に静止したままになっており、前記キネマティック・チェーンは、ホイール（４８）を含み、前記ホイール（４８）は、前記時計学的ムーブメントと連続的に係合されており、前記ホイール（４８）は、歯部（６８）を備えた周囲部を有しており、前記歯部（６８）を介して、前記ホイール（４８）は、ピニオン（５０）と噛み合っており、前記ピニオン（５０）自身は、前記日付の前記１の位コンポーネントの前記第１のインジケータ（６２）を駆動することに寄与しており、前記ホイール（４８）は、その前記周囲部に沿った１つのポイント（６９）において、歯を欠いており、３１日を有する付きの最後の日から前記それに続く月の最初の日の終わりへの通過を分離する前記２４時間の期間の間に、前記ホイール（４８）が、前記ピニオン（５０）と噛み合わないようになっており、したがって、前記ピニオン（５０）は、前記第１の日付インジケータ（６２）同様に、静止したままになっており、前記大型の日付カレンダ表示機構（１２）は、中間ホイール（５４）と係合されている１の位駆動ピニオン（５６）をさらに含み、前記１の位駆動ピニオン（５６）は、１の位駆動ホイール（６０）上に摩擦により装着されており、前記１の位駆動ピニオン（５６）は、前記１の位駆動ホイール（６０）とともに１の位駆動ホイール・セット（５８）を形成しており、調節部材（７２）は、前記１の位駆動ホイール（６０）によって担持されており、前記調節部材（７２）の角度位置は、調節可能になっており、前記調節部材（７２）は、前記１の位駆動ピニオン（５６）と係合されている、大型の日付カレンダ表示機構。
【発明の詳細な説明】
【技術分野】
【０００１】
本発明は、サポートに対する第１の歯付きホイール・セットの位置を調節するためのシステムであって、第１の歯付きホイール・セットは、それが枢動することができるように、サポート上に装着されている、システムに関する。とりわけ、本発明は、ホイールによって担持されているピニオンの角度位置を調節するためのシステムであって、ピニオンは、ホイールとともにホイール・セットを形成している、システムに関する。本発明は、さらに、そのような調節システムを含む時計に関する。
【背景技術】
【０００２】
腕時計などのような時計のための従来の日付表示機構は、本質的に、日付リングを含み、「１」から「３１」の日付表示が、日付リングの外周部上に設置されている。この日付リングは、１日に１ステップだけ前進する。３１未満の日を有する月の終わりにおいて、ウォッチの所有者は、２月には、日付表示「２８」から、または、うるう年の場合には、日付表示「２９」から、日付表示「１」へ、日付リングを前進させなければならず、また、３１未満の日を有する１年の中の他の月に関して、日付表示「３０」から日付表示「１」へ、日付リングを前進させなければならない。
【０００３】
３１未満の日を有するそれぞれの月の終わりに所有者による介入を必要とする日付表示機構は、単純な日付表示機構と称される。２月から３月へ通過するときに、所有者による介入を１年に１回だけ必要とする日付表示機構は、半永久的な日付表示機構と称される。最後に、３１未満の日を有する月の最後の日の日付表示から、うるう年を含むそれに続く月の最初の日の日付表示へ自然に通過する日付表示機構は、永久的な日付表示機構と称される。
【０００４】
単一のリングを含む日付表示機構であって、「１」から「３１」の日付表示が単一のリングの外周部周りに分配されている、日付表示機構は、限られた数のパーツを含むという利点を有している。したがって、それらは、機械的なまたは電気機械的なウォッチの時計学的ムーブメントの中へ組み込むために、よりコスト効率が良く容易である。しかし、日付リング上の３１個の日付表示のそれぞれを再現するために、１２°よりも少し小さい角度セクタだけしか利用可能でない。したがって、日付表示のサイズは、日付リングの寸法によって必然的に限定され、それは、これらの日付表示を読みにくくする可能性がある。
【０００５】
表示部材がリングであり、３１個の日付表示がリング上に設置されている、日付表示機構と並んで、いわゆる「大型の日付」カレンダ表示機構も知られており、それは、また、機械的なまたは電気機械的な時計に装備することが意図されている。これらの大型の日付カレンダ表示機構がそのように呼ばれているのは、日付表示がより大きいスケールで表示されることをそれらが可能にするからであり、それは、日付の読み取りを容易にし、また、そのような機構を装備している時計の美観の観点から、紛れもない利点を構成する。
【０００６】
大型の日付カレンダ表示機構は、従来から、第１の日付インジケータを含み、第１の日付インジケータ上には、「０」から「９」の日付の１の位コンポーネントの表示が設置されている。これらの１０個の数字は、考えられる大型の日付表示機構の動作モードに依存するシーケンスにしたがって、第１の日付インジケータ上に再現されている。これらの日付表示機構は、第２の日付インジケータによって補完され、第２の日付インジケータ上には、「０」から「３」の日付の１０の位コンポーネントの表示が再現されている。したがって、第２の日付インジケータに対する第１の日付インジケータの位置決めを適切に調節することによって、「０１」から「３１」の日付表示のすべてが、第１の日付インジケータによって担持されている日付の１の位コンポーネントの表示と、第２の日付インジケータによって担持されている日付の１０の位コンポーネントの表示とを組み合わせることによって、構成され得る。第１の日付インジケータは、日付の１の位コンポーネントの表示だけを担持しているので、および、第２の日付インジケータは、日付の１０の位コンポーネントの表示だけを担持しているので、追加的なスペースは、これらの表示を再現するために利用可能であり、それは、したがって、サイズがより大きくなることが可能である。したがって、大型の日付カレンダ・インジケータ・デバイスの読み取りがより容易にされ、そのような日付インジケータ・デバイスを装備している時計の美観が、著しく改善される。
【０００７】
それにもかかわらず、「大型の日付」タイプの日付表示機構は、所与の月の「３１」からそれに続く月の「０１」へ通過するときに、問題をもたらす。より具体的には、日付表示「３１」を形成するために使用される日付の１の位コンポーネント「１」の表示は、日付表示「０１」がそれとともに形成される日付の１の位コンポーネント「１」の表示と同じである。結果として、日付表示「３１」から日付表示「０１」への通過の間に、日付の１の位コンポーネント「１」の表示は、変化されないままでなければならず、一方、日付の１０の位コンポーネントの表示は、値「３」から値「０」へ通過する。換言すれば、３１日を有する月の終わりからそれに続く月の最初の日へ通過するときに、第１の日付インジケータ（日付の１の位コンポーネントの表示が、第１の日付インジケータ上に設置されている）は、静止したままでいなければならない。この目的に到達するために、時計学的ムーブメント（それは、通常の環境下において、大型の日付表示機構が毎日前進することを可能にする）は、３１日を有する月の最後の日からそれに続く月の最初の日へ通過するときに、第１の日付インジケータを駆動することを防止されなければならない。
【０００８】
この問題を克服するためにしばしば提案される解決策は、時計学的ムーブメントの出力と、少なくとも１つの歯の日付の１の位コンポーネントの表示を担持する日付インジケータとの間の、キネマティック・チェーン（ｋｉｎｅｍａｔｉｃ  ｃｈａｉｎ）の中に位置付けされているホイールのうちの１つを剥奪することから構成されており、「３１」から「０１」へ通過するときに、このホイールが、時計学的ムーブメントによって駆動されても、順にピニオンを駆動しないようになっており、ホイールは、ピニオンと係合されており、また、ホイールは、日付の１の位コンポーネントのインジケータを駆動することに寄与する。この期間の間にピニオンが静止したままであることを考えると、時計学的ムーブメントと日付の１の位コンポーネントの表示を担持する第１の日付インジケータとの間の運動学的リンケージは中断され、日付の１の位コンポーネント「１」の表示は、変化されないままとなる。
【０００９】
しかし、この解決策は、完全ではない。その理由は、３１日を有する月の最後の日からそれに続く月の最初の日の終わりへの通過を分離する２４時間の間に、および、残りの時間にその駆動を確保するホイールとピニオンがもはや係合されていない間に、ピニオンの位置の維持、ひいては、日付の１の位コンポーネントの表示を担持している第１の日付インジケータの位置の維持が、もはや確保されないからであり、それは、受け入れることができない。その理由は、時計の目盛り盤の中に作製された開口（開口を通して、日付表示が見える）の中の日付の１の位コンポーネントの表示の適切な位置決めに関して、保証が与えられることができないからである。そのうえ、ホイールが回転するときに、および、ホイールがピニオンと再び噛み合うことができる位置に見出されるときに、ピニオンは、適当に位置決めされることができず、また、ホイールは、このピニオンと再係合することができず、それは、機構が妨害されることを結果として生じさせる。したがって、ピニオンの正しい割り出しが、とりわけ、このピニオンが通常はそれを駆動するホイールと係合されていない期間の間に、一定に保証されることが必須である。
【００１０】
上述の理由のために、ホイールとピニオンとの間の精密な角度位置決めを確保するために、すべての必要な対策がとられなければならない。
【発明の概要】
【発明が解決しようとする課題】
【００１１】
本発明の目的は、第１の歯付きホイール・セットの角度位置がサポート（第１の歯付きホイール・セットは、それが枢動することができるように、サポート上に装着されている）に対して調節されることを可能にする機構を提供することによって、上述の問題を克服することである。とりわけ、本発明は、ホイールに対するピニオンの角度位置を調節するための機構に関する（ピニオンは、ホイールとともにホイール・セットを形成する）。
【課題を解決するための手段】
【００１２】
この目的を果たすために、本発明は、サポートに対する第１の歯付きホイール・セットの角度位置を調節するためのシステムであって、第１の歯付きホイール・セットは、それが枢動することができるように、サポート上に装着されており、調節システムは、調節部材を含み、調節部材は、サポートに対する第１の歯付きホイール・セットの角度位置に対して作用が加えられることを可能にする、システムを開示している。
【００１３】
本発明の１つの特定の実施形態によれば、第１の歯付きホイール・セットは、ピニオンであり、サポートは、ホイールであり、ピニオンが、ホイール上に摩擦により装着されており、ホイール・セットを形成するようになっている。
【００１４】
本発明の別の実施形態によれば、調節部材は、歯付きホイール・セットであり、歯付きホイール・セットの角度位置は、調節可能になっており、歯付きホイール・セットは、第１の歯付きホイール・セットと係合されており、第１の歯付きホイール・セットの角度位置が調節されることになっている。
【００１５】
本発明は、さらに、本発明による調節システムを含む時計に関する。
【００１６】
これらの特徴により、本発明は、第１の歯付きホイール・セットの角度位置がサポートに対して精密に調節されることを可能にするシステムを提供する（第１の歯付きホイール・セットは、それが枢動することができるように、サポート上に装着されている）。したがって、最適な噛み合いが、第１の歯付きホイール・セットと第２の歯付きホイール・セット（第１の歯付きホイール・セットは、第２の歯付きホイール・セットと噛み合っている）との間で保証され得、その後に、ホイール・セットのすべての正しい位置決めが保証され得、ホイール・セットは、第１および第２のホイール・セットが含まれているキネマティック・チェーンの中で、第１のホイール・セットの上流および下流に配設されており、また、第２のホイール・セットの上流および下流にそれぞれ配設されている。この目的を果たすために、本発明は、キー・タイプの調節部材を使用することを開示しており、調節部材の角度位置は、たとえば、スクリュードライバによって、調節可能になっている。この調節部材は、第１のホイール・セットを担持するサポート上で、または、別個のサポート上で、それが枢動することができるように装着されており、この調節部材は、第１のホイール・セットと係合されており、調節部材を枢動させることによって、この第１のホイール・セットの角度位置が調節され得るようになっている。
【００１７】
本発明は、さらに、時計の時計学的ムーブメントによるキネマティック・チェーンを介して駆動される大型の日付カレンダ表示機構であって、時計は、この大型の日付カレンダ表示機構を装備しており、この大型の日付カレンダ表示機構は、第１の日付インジケータおよび第２の日付インジケータを含み、「０」から「９」の日付の１の位コンポーネントの表示が、第１の日付インジケータ上に設置されており、「０」から「３」の日付の１０の位コンポーネントの表示が、第２の日付インジケータ上に設置されており、それによって、「０１」から「３１」の日付表示のすべてが、第１の日付インジケータによって担持されている、日付の１の位コンポーネント「０」から「９」の表示と、第２の日付インジケータによって担持されている、日付の１０の位コンポーネント「０」から「３」の表示とを組み合わせることによって取得され得、第１の日付インジケータは、３１日を有するある月の最後の日からそれに続く月の最初の日の終わりへの通過を分離する２４時間の期間の間に静止したままになっており、キネマティック・チェーンは、ホイールを含み、ホイールは、時計学的ムーブメントと連続的に係合されており、ホイールは、歯を備えた周囲部を有しており、歯を介して、ホイールは、ピニオンと噛み合っており、ピニオン自身は、日付の１の位コンポーネントの第１のインジケータを駆動することに寄与しており、ホイールは、その周囲部に沿った１つのポイントにおいて、歯を欠いており、３１日を有する付きの最後の日からそれに続く月の最初の日の終わりへの通過を分離する２４時間の期間の間に、ホイールが、ピニオンと噛み合わないようになっており、したがって、ピニオンは、第１の日付インジケータと同様に、静止したままになっており、大型の日付カレンダ表示機構は、中間ホイールと係合されている１の位駆動ピニオンをさらに含み、１の位駆動ピニオンは、１の位駆動ホイール上に摩擦により装着されており、１の位駆動ピニオンは、１の位駆動ホイールとともに１の位駆動ホイール・セットを形成しており、歯付き調節部材は、１の位駆動ホイールによって担持されており、調節部材の角度位置は、調節可能になっており、歯付き調節部材は、１の位駆動ピニオンと係合されている、大型の日付カレンダ表示機構に関する。
【００１８】
本発明の別の実施形態によれば、デュアル・ジャンパは、それが軸周りに枢動することができるように装着されており、デュアル・ジャンパは、第１の端部において、第１のビーク（ｂｅａｋ）を含み、デュアル・ジャンパは、第１のビークを介して、第１の日付インジケータの歯部と係合されており、また、デュアル・ジャンパは、第２の端部において、第２のビークを含み、デュアル・ジャンパは、第２のビークを介して、中間ピニオンの歯部と係合されており、デュアル・ジャンパは、それが第１の日付インジケータおよびピニオンと係合されるように、弾性的に保持されている。
【００１９】
これらの特徴により、本発明は、大型の日付カレンダ表示機構であって、日付の１の位コンポーネントのインジケータを駆動することに寄与するピニオンの位置が、精密に調節され、この１の位駆動ピニオンと中間ホイール（このピニオンは、中間ホイールと係合されている）との間の最適な噛み合いを保証するようになっている、大型の日付カレンダ表示機構を提供する。
【００２０】
他方では、３１日を有する月から、それに続く月の最初の日の終わりへ通過する間に、１の位駆動ピニオンは、時計学的ムーブメントから解除されなければならず、日付の１の位コンポーネントのインジケータが、この期間の間に静止したままになるようになっている。効果的には、日付の１の位コンポーネントのインジケータに担持されているマーキング「１」は、３１日を有する月の終わりに日付表示「３１」を構成するために使用されるとともに、それに続く月の始まりに日付表示「０１」を構成するために使用される。したがって、日付の１の位コンポーネントのインジケータが、この時間の経過の間に静止したままになっており、時計の目盛り盤の中に作製された開口を通して見える日付表示が正確になるようになっていることが重要である。結果として、連続的に動作する時計学的ムーブメントが日付の１の位コンポーネントのインジケータを駆動することができないように、１の位駆動ピニオンは、解除されていなければならない。
【００２１】
しかし、１の位駆動ピニオンが通常の環境の下でそれを駆動するホイールから瞬間的に解除されるという事実は、この１の位駆動ピニオンの位置決めがこの期間の間に確保されることができないという限りにおいて、問題を生成させることが容易に理解される。結果として、ホイールが回転するときに、および、ホイールが１の位駆動ピニオンと再び噛み合うことができる位置に見出されるときに、この１の位駆動ピニオンは、適当に位置決めされることができず、また、ホイールは、このピニオンと再係合することができず、それは、機構が妨害されることを結果として引き起こす。したがって、１の位駆動ピニオンの正しい割り出しが、とりわけ、このピニオンが通常はそれを駆動するホイールと係合されていない期間の間に、一定に保証されることが必須である。
【００２２】
本発明の特定の実施形態によれば、デュアル・ジャンパが設けられており、そのデュアル・ジャンパは、その端部のうちの１つにおいて、１の位駆動ピニオンの歯部と係合されているというのは、このためである。同様に、デュアル・ジャンパは、日付の１の位コンポーネントのインジケータの歯部と係合されており、時計の目盛り盤の中に作製された開口の中での日付の１の位コンポーネントの表示の正しい位置決めを連続的に保証するようになっている。
【００２３】
デュアル・ジャンパは、それが枢動するようにヒンジ接続されているので、それは、第１の日付インジケータの歯部によって押し戻されるときに、１の位駆動ピニオンとのその係合から解放され、その逆もまた同様であることに留意されたい。
【００２４】
本発明の他の特徴および利点は、添付の図面を参照して、本発明による歯付きホイール・セットの角度位置を調節するためのシステムの１つの例示的な実施形態の以下の詳細な説明を読むときに、より良好に理解されることになり、前記例は、単なる図示の目的のために提供されており、本発明の範囲を限定することを意図していない。
【図面の簡単な説明】
【００２５】
【図１】図１Ａは、本発明によるホイール・セットの角度位置を調節するためのシステムの原理を示す概略図である。    図１Ｂは、本発明によるホイール・セットの角度位置を調節するためのシステムの原理を示す概略図である。
【図２】本発明による調節システムを含む大型の日付カレンダ表示機構を装備している腕時計タイプの時計の上面図である。
【図３】日付の１０の位コンポーネントのインジケータが透明に示されている、本発明による調節システムを装備している大型の日付カレンダ表示機構の平面図である。
【図４】日付の１０の位コンポーネントのインジケータを駆動するキネマティック・チェーンをより具体的に見ることができる、図３の中の大型の日付カレンダ表示機構の斜視図である。
【図５】日付の１０の位コンポーネントのインジケータが省略されていることを除いて、図３のものと同一の図である。
【図６】日付表示機構の解放を１日に１回制御するカム駆動機構を明らかにする、大型の日付カレンダ表示機構の下方からの斜視図である。
【図７Ａ】本発明による調節システムのより大きいスケールの斜視図である。
【図７Ｂ】調節部材のより大きいスケールの図である。
【発明を実施するための形態】
【００２６】
本発明は、第１の歯付きホイール・セットとサポート（第１の歯付きホイール・セットは、それが回転することができるように、サポート上に装着されている）との間の精密な角度位置を確保し、この第１の歯付きホイール・セットと第２の歯付きホイール・セット（第１の歯付きホイール・セットは、第２の歯付きホイール・セットと係合されている）との間の最適な噛み合いを保証するようになっていることからなる一般的な発明的な思想から引き出された。この結果を実現するために、本発明は、サポート（第１の歯付きホイール・セットが、サポート上に装着されている）に対する第１の歯付きホイール・セットの角度位置を精密に調節することを提案する。この目的のために、調節部材が設けられており、調節部材の位置は、スクリュードライバなどのようなツールによって調節され得、また、調節部材は、第１の歯付きホイール・セットと噛み合っている。したがって、調節部材を作動させることによって、第１の歯付きホイール・セットの角度位置は、非常に精密に調節され得る。
【００２７】
本発明は、それに限定されないが、大型の日付カレンダ表示機構に関しとりわけ興味深い。大型の日付カレンダ表示機構では、この日付表示機構の正しい動作を保証するために、３１日を有する月の最後の日からそれに続く月の最初の日へ通過するときに、時計学的ムーブメントと日付の１の位コンポーネントのインジケータとの間の機械的なリンクが中断されなければならない。しかし、この時間の経過の間に、中間ピニオンは、通常はそれを駆動する駆動ホイールともはや係合されていない。したがって、この中間ピニオンの角度位置の割り出しは、もはや確保されない。それにもかかわらず、大型の日付カレンダ表示機構の完璧な動作を保証するために、本発明は、中間ピニオンが属するキネマティック・チェーンの中に含まれるホイール・セットの角度位置を精密に調節することを提供し、このキネマティック・チェーンの異なるホイール・セット同士の間の最適な噛み合いを保証するようになっている。
【００２８】
本発明は、「大型の日付」タイプの日付表示機構を参照して説明されることになり、ピニオンが噛み合うホイールに対するピニオンの角度位置を調節する問題が当てはまる。しかし、そのような大型の日付カレンダ表示機構の例は、単なる例示目的のためだけに与えられており、本発明の範囲を限定することを意図していないこと、および、第１のホイール・セットが噛み合っている別のホイール・セットに対する第１のホイール・セットの角度位置を調節するための本発明による調節システムが、別のものに対する１つのホイール・セットの正しい角度位置決めを確保する問題にさらされる任意のタイプの時計学的機構において使用され得ることを理解することが重要である。
【００２９】
本特許出願に添付の図１Ａおよび図１Ｂに概略的に示されているように、本発明による調節システム１は、サポート２を含み、第１の歯付きホイール・セット４がサポート２上に装着されており、それが回転することができるようになっている。この第１の歯付きホイール・セット４は、第２の歯付きホイール・セット６と噛み合っている。本発明の目的のうちの１つは、２つの歯付きホイール・セット４および６の間の最適な噛み合いを保証するために、第２の歯付きホイール・セット６に対する第１の歯付きホイール・セット４の角度位置が精密に調節されることを可能にすることである。この目的のために、本発明による調節システム１は、調節部材８を含み、調節部材８は、それがサポート２上で枢動することができるように装着されている。本発明の特定の実施形態によれば、調節部材８は、第１の歯付きホイール・セット４がその上に装着されているサポートとは異なるサポート上に装着され得る。この調節部材８は、歯付きセクタ１０を含み、歯付きセクタ１０を介して、調節部材８は第１の歯付きホイール・セット４と噛み合っている。たとえば、スクリュードライバによって、この調節部材８を一方の方向にまたは他方の方向に枢動させることによって、第１の歯付きホイール・セット４の位置は、第２の歯付きホイール・セット６に対して精密に調節され得る。
【００３０】
単なる例として、本発明による調節システム１は、腕時計などのような時計１４（図２を参照）に適合する大型の日付表示機構１２の中へ一体化さ得る。この時計１４は、目盛り盤１６を含み、開口１８が作製されており、開口１８を通して、大型の日付表示２０を見ることができる。
【００３１】
図３を参照すると、大型の日付表示機構１２は、中間センタ・ホイール２２を含むように示されており、中間センタ・ホイール２２は、従来から、時計学的ムーブメント（図示せず）のモーション・ワークによって駆動されるアワー・ホイールに剛性に接続されている。この中間センタ・ホイール２２は、カム駆動ホイール２４と噛み合っており、カム駆動ホイール２４は、１日当たり１回転駆動される。そして、このカム駆動ホイール２４は、カム・ホイール２６を駆動し、カム・ホイール２６上に、カム２８が固定されている。
【００３２】
カム駆動ホイール２４およびカム・ホイール２６は、ピン３０によって互いに運動学的に接続されており、ピン３０は、カム・ホイール２６の中へ押し込まれており、ピン３０は、カム駆動ホイール２４の中に作製された長楕円形の孔部３２を自由に通過している（図６を参照）。カム駆動ホイール２４が回転するときには、それは、長楕円形の孔部３２の内側縁部３２ａに当接しているピン３０により、カム・ホイール２６を駆動する。カム２８は、プロファイル２８ａを有しており、プロファイル２８ａの１つのポイントにおいて、不連続部２８ｂが設けられている。スプリング３６によって弾性的に応力を受けている解放レバー３４は、ビーク３８を含み、ビーク３８を介して、解放レバー３４は、カム２８のプロファイル２８ａを辿る。
【００３３】
１日に１度、真夜中近くに、解放レバー３４は、カム２８のプロファイル２８ａの不連続部２８ｂに沿って落ち、カム２８のプロファイル２８ａの不連続部２８ｂによって画定される角度だけ、カム・ホイール２６を瞬時に枢動させる。長楕円形の孔部３２の寸法は、ピン３０によって妨げられることなく、カム・ホイール２６がその瞬時の枢動移動を実施することを可能にするのに十分になっていることに留意されたい。
【００３４】
カム・ホイール２６は、日付駆動ホイール４０を駆動し、日付駆動ホイール４０は、フィンガ４２を担持しており、フィンガ４２を介して、日付駆動ホイール４０は、１日に１度、１ステップだけ、３１歯のホイール４４の前進を制御する（図４を参照）。そのうえ、プログラミング・ホイール４６は、３１歯のホイール４４に固定されている。そして、３１歯のホイール４４は、駆動ホイール４８と噛み合っており、駆動ホイール４８自身は、中間ホイール・セット５２の中間ピニオン５０と係合されている。最後に、中間ホイール・セット５２の中間ホイール５４は、１の位駆動ホイール・セット５８の１の位駆動ピニオン５６と噛み合っており、１の位駆動ホイール・セット５８の１の位駆動ホイール６０は、日付の１の位コンポーネントのインジケータを駆動する。単なる図示の目的のために、および、本発明を限定することを意図する目的のためではなく、日付の１の位コンポーネントのこのインジケータは、リング６２の形態をとっている。この１の位インジケータ・リング６２は、表示「０」、「１」、「２」、「３」、「４」、「５」、「６」、「７」、「８」、および「９」を担持しており、それらは、日付の１の位コンポーネントの表示に対応しており、ある月の「３１」からそれに続く月の「１」へ通過するときを除いて、１日に１ステップだけ前進する。
【００３５】
プログラミング・ホイール４６は、４つの歯４６ａ、４６ｂ、４６ｃ、および４６ｄを備えており、４つの歯４６ａ、４６ｂ、４６ｃ、および４６ｄを介して、このプログラミング・ホイール４６は、１０日ごとに１ステップだけ、４歯のスター６４を駆動し、日付の１０の位コンポーネントのインジケータが、４歯のスター６４に固定されている。単なる図示の目的のために、および、本発明を限定することを意図する目的のためではなく、日付の１０の位コンポーネントのこのインジケータは、ディスク６６の形態で設計されている。１０の位インジケータ・ディスク６６は、表示「０」、「１」、「２」、および「３」を担持しており、それらは、日付の１０の位コンポーネントの表示に対応している。
【００３６】
上記に特定されているように、１の位インジケータ・リング６２は、ある月の「３１」からそれに続く月の「１」へ通過するときを除いて、１日に１ステップだけ前進する。この通過の間に、１の位インジケータ・リング６２は、静止したままでいなければならない。より具体的には、日付の１の位コンポーネントのインジケータによって担持されているマーキング「１」は、３１日を有する月の終わりに日付表示「３１」を構成するために使用されるとともに、それに続く月の始まりに日付表示「０１」を構成するために使用される。したがって、１の位インジケータ・リング６２が、この時間の経過の間に静止したままになっており、時計１４の目盛り盤１６の中に作製された開口１８を通して見える日付表示が正確になるようになっていることが重要である。
【００３７】
これを実現するために、駆動ホイール４８の３１歯の歯部６８の２つの歯は欠けており、空のスペース６９を残している（図５を参照）。したがって、駆動ホイール４８の３１歯の歯部６８の歯を欠いているこの部分が、中間ピニオン５０の歯部７０に面しているときには、この中間ピニオン５０の角度位置は、もはや適当に確保されておらず、それは、キネマティック・チェーンの終わりにおいて、時計１４の目盛り盤１６の中に作製された開口１８の中に、１の位インジケータ・リング６２によって担持された表示「１」を正しく位置決めすることをもはや保証しない。当然のことながら、この問題は、受け入れることができない。
【００３８】
本発明によれば、本発明による調節システム１を大型の日付表示機構１２に装備することが想定されるのはこのためである。この目的のために、第１の歯付きホイール・セット（その角度位置が調節されることになる）として作用する１の位駆動ピニオン５６は、サポートとして作用する１の位駆動ホイール６０上に摩擦により装着されている。単なる例として図７Ａに示されている実施形態では、１の位駆動ピニオン５６は、軸５６ａを含み、軸５６ａを介して、それは、２つの平行なアーム６０ａと６０ｂとの間に摩擦により装着されており、２つの平行なアーム６０ａおよび６０ｂは、１の位駆動ホイール６０の直径に沿って実質的に延在している。本発明による調節システム１は、調節部材７２によって完了され、調節部材７２は、それが１の位駆動ホイール６０上で枢動することができるように装着されている。この調節部材７２は、歯付きセクタ７４を含み、歯付きセクタ７４を介して、それは、１の位駆動ピニオン５６の歯部と噛み合っている（図７Ｂを参照）。たとえば、スクリュードライバによって、一方の方向にまたは他方の方向に、調節部材７２を回転させることによって、１の位駆動ピニオン５６の角度位置は、精密に調節され得、この１の位駆動ピニオン５６が、それを駆動する中間ホイール５４と最適に噛み合うようになっている。１の位駆動ピニオン５６と１の位駆動ホイール６０との間に存在する摩擦力は、１の位駆動ピニオン５６が１の位駆動ホイール６０を駆動することができるように十分に高くなっており、１の位駆動ピニオン５６自身が中間ホイール５４によって回転されるときに、１の位駆動ホイール６０が回転するようになっているが、しかし、１の位駆動ピニオン５６の角度位置が調節されることができるように十分に小さくなっていることを理解されたい。最後に、１の位駆動ホイール６０は、この１の位インジケータ・リング６２の内側歯部６８と噛み合うことによって、１の位インジケータ・リング６２を駆動する。
【００３９】
繰り返しになるが、大型の日付表示機構１の動作を改善するために、この機構は、デュアル・ジャンパ７６をさらに備え得、デュアル・ジャンパ７６は、それが中心Ｏ周りに枢動するように配置されている。このデュアル・ジャンパ７６は、第１のビーク７６ａおよび第２のビーク７６ｂを備えており、第１のビーク７６ａを介して、デュアル・ジャンパ７６は、中間ピニオン５０の歯部７０と係合しており、第２のビーク７６ｂを介して、デュアル・ジャンパ７６は、１の位インジケータ・リング６２の内側歯部７８と係合している。デュアル・ジャンパ７６は、それが、スプリング８０によって、中間ピニオン５０の歯部７０に対抗して、および、１の位インジケータ・リング６２の内側歯部７８に対抗して、弾性的に重みを掛けるように保持されている。中間ピニオン５０が１ステップだけ前進するときには、デュアル・ジャンパ７６は、その枢動中心Ｏ周りに枢動し、そのビーク７６ａは、この中間ピニオン５０の歯部７０の２つの連続する歯の間のギャップから、それに続くギャップへ通過することによって脇へ退く。同時に、デュアル・ジャンパ７６の第２のビーク７６ｂは、１の位インジケータ・リング６２の内側歯部７８の２つの歯の間のギャップから解放され、それに続くギャップの中へ落ちる。デュアル・ジャンパ７６の幾何学的な構成、および、その枢動中心Ｏの位置決めは、デュアル・ジャンパ７６が枢動するときに、それが、中間ピニオン５０の歯部７０から、および、１の位インジケータ・リング６２の内側歯部７８から、同時に解放されるようになっている。したがって、ある月の終わりにおいて、日付表示「３１」から、それに続く月の日付表示「１」へ通過するときに、中間ピニオン５０は、駆動ホイール４８と係合されていないけれども、デュアル・ジャンパ７６のビーク７６ａによって適切な位置に保持され、時計１４の目盛り盤１６の中に作製された開口１８の内側に、日付表示「１」が適当に中心を合わせられなくなるリスクが存在しないようになっている。
【００４０】
中間ピニオン５０は、中間ホイール５４とともに中間ホイール・セット５２の一部を形成しており、中間ピニオン５０は、中間ホイール５４と回転方向に連結されている。そして、この中間ホイール５４は、１の位インジケータ・リング６２の１の位駆動ホイール・セット５８の１の位駆動ピニオン５６に噛み合っている。この１の位駆動ピニオン５６は、１の位駆動ホイール６０と回転方向に連結されており、１の位駆動ホイール６０は、この１の位インジケータ・リング６２の内側歯部７８と噛み合うことによって、１の位インジケータ・リング６２を駆動する。
【００４１】
本発明は、上記に説明されている実施形態に限定されないことが明らかであり、また、さまざまな簡単な代替例および修正例が、添付の特許請求の範囲によって定義されているような本発明の範囲から離れることなく、当業者によって考えられ得ることが明らかである。とりわけ、駆動ホイール４８の歯部６８の歯の数は、３１歯とは異なることが可能であること、および、省略される歯の数は、２つとは異なることが可能であり、たとえば、１つまたは３つに等しいことが可能であることに留意されたい。
【符号の説明】
【００４２】
１  調節システム
２  サポート
４  第１の歯付きホイール・セット
６  第２の歯付きホイール・セット
８  調節部材
１０  歯付きセクタ
１２  大型の日付表示機構
１４  腕時計
１６  目盛り盤
１８  開口
２０  大型の日付表示
２２  中間センタ・ホイール
２４  カム駆動ホイール
２６  カム・ホイール
２８  カム
２８ａ  カムプロファイル
２８ｂ  不連続部
３０  ピン
３２  長楕円形の孔部
３２ａ  内側縁部
３４  解放レバー
３６  スプリング
３８  ビーク
４０  日付駆動ホイール
４２  フィンガ
４４  ３１歯のホイール
４６  プログラミング・ホイール
４６ａ、４６ｂ、４６ｃ、４６ｄ  歯
４８  駆動ホイール
５０  中間ピニオン
５２  中間ホイール・セット
５４  中間ホイール
５６  １の位駆動ピニオン
５８  １の位駆動ホイール・セット
６０  １の位駆動ホイール
６０ａ、６０ｂ  平行なアーム
６２  １の位インジケータ・リング
６４  ４歯のスター
６６  １０の位インジケータ・ディスク
６８  歯部
５６ａ  軸
６９  空のスペース
７０  歯部
７２  調節部材
７４  歯付きセクタ
７６  デュアル・ジャンパ
７６ａ  第１のビーク
７６ｂ  第２のビーク
Ｏ  枢動中心
７８  内側歯部
８０  スプリング
【図１】
2020095032.tif 000003
【図２】
2020095032.tif 000004
【図３】
2020095032.tif 000005
【図４】
2020095032.tif 000006
【図５】
2020095032.tif 000007
【図６】
2020095032.tif 000008
【図７Ａ】
2020095032.tif 000009
【図７Ｂ】
2020095032.tif 000010
【外国語明細書】
2020095032000001.pdf